(57)【特許請求の範囲】
【請求項１】
両引き戸（２，３）の本締まり錠（４）を屋外側から見えなくなるように覆うことができかつ屋外引き戸（２）のガラス（５）に貼り付け可能なプレート本体（１５）と、このプレート本体（１５）の裏面に設けられた接着層（１６）と、を備えており、
前記プレート本体（１５）は、屋外引き戸（２）のガラス（５）の屋内側面に貼り付けられる屋内プレート（１４）よりなり、この屋内プレート（１４）は、クレセント錠（４）の被掛止爪（８）との干渉を避けるための逃げ凹部（１８）が形成された直線縁を有している防犯プレート。
【請求項２】
プレート本体（１５）は、直線縁が屋外引き戸（２）の縦枠（６）に添いかつ逃げ凹部（１８）内に被掛止爪（８）が位置する状態で屋外引き戸（２）のガラス（５）の屋内側面に貼り付けられる屋内プレート（１４）に加えて、
前記屋内プレート（１４）と同じ外周形状に形成されかつ当該屋内プレート（１４）と重なり合う状態で前記屋外引き戸（２）のガラス（５）の屋外側面に貼り付けられる屋外プレート（１３）を備えている請求項１に記載の防犯プレート。
【請求項３】
屋外プレート（１３）の表面に防犯設置表示（１７）が記載されている請求項２に記載の防犯プレート。
【請求項４】
屋内プレート（１４）の接着面に防犯設置表示（１７）が記載されている請求項１に記載の防犯プレート。
【請求項５】
屋内引き戸（３）の走行経路から外れるアンロック姿勢と屋内引き戸（３）の走行経路内に突出するロック姿勢とに切り換え自在なロック部材（２０）が屋内プレート（１４）に設けられている請求項１〜４のいずれかに記載の防犯プレート。
【請求項６】
ロック部材（２０）は、屋内引き戸（３）に対する走行方向におけるロック位置を切り換えることができる機能を有する請求項５に記載の防犯プレート。
【発明の詳細な説明】
【０００１】
【発明の属する技術分野】
本発明は、引き戸のガラス面に貼り付けることで防犯機能を向上できる防犯プレートに関する。
【０００２】
【従来の技術】
例えば、家屋の窓部やバルコニー等におけるアルミサッシよりなる引き戸装置には、部外者が屋内へ侵入するのを防止するための本締まり錠としてクレセント錠が広く採用されている。
しかし、上記クレセント錠による施錠だけでは、屋外引き戸のガラスの錠対応部分だけを割って当該クレセント錠を解錠すれば、部外者が比較的容易に侵入できることが知られている。
【０００３】
そこで、屋外引き戸のガラスの屋内側面に張り付け可能な取付基板と、この取付基板に上下揺動自在に取り付けられたロック部材と、を備えており、このロック部材が、屋内引き戸の走行経路から外れるアンロック姿勢と屋内引き戸の走行経路内に突出するロック姿勢とに切り換え自在になっている引き戸の補助ロック装置が既に市販されている。
【０００４】
【発明が解決しようとする課題】
上記従来の補助ロック装置によれば、当該ロック部材をロック姿勢にしておけば、クレセント錠による本施錠に加えて引き戸を補助的にロックできるので、この点で引き戸の防犯機能を向上することができる。
しかるに、この種の補助ロック装置では、取付基板を屋外引き戸のガラスの上端部又は下端部に取り付けるようにしており、取付基板によって屋外引き戸のガラスの錠対応部分を割ること自体を防止できる訳ではない。
【０００５】
このため、当該補助ロック装置を設けただけでは、クレセント錠（本締まり錠）そのものの解錠を有効に防止することはできず、この点で防犯機能の向上にも自ずから限界があった。
そこで、本発明の課題は、部外者が屋外引き戸のガラスの錠対応部分を割ること自体を可及的に防止できるようにして、引き戸の防犯機能を大幅に向上する点にある。
【０００６】
【課題を解決するための手段】
上記課題を達成するために、本発明は次の技術的手段を講じた。
すなわち、本発明の防犯プレートは、両引き戸の本締まり錠を屋外側から見えなくなるように覆うことができかつ屋外引き戸のガラス面に貼り付け可能なプレート本体と、このプレート本体の裏面に設けられた接着層と、を備えており、前記プレート本体は、屋外引き戸のガラスの屋内側面に貼り付けられる屋内プレートよりなり、この屋内プレートは、クレセント錠の被掛止爪との干渉を避けるための逃げ凹部が形成された直線縁を有しているものである。
【０００７】
上記の本発明によれば、屋外引き戸のガラスにおける本締まり錠の対応部分にプレート本体を貼り付けることにより、当該プレート本体によって本締まり錠が屋外側から見えないように隠され、プレート本体よりも広い範囲で屋外引き戸のガラスを割らない限り本締まり錠を解錠できなくなる。
このため、プレート本体を貼り付けていない場合に比べて、本締まり錠を解錠するのに必要なガラスを割る範囲が拡大することになり、泥棒等の部外者が屋外引き戸のガラスの錠対応部分を割るのを諦めて退散する蓋然性が大きくなる。
【０００８】
上記の本発明において、プレート本体は、屋外引き戸のガラスの屋内側面に貼り付けられる屋内プレートより構成され、この屋内プレートは、逃げ凹部が形成された直線縁を有しているので、その直線縁が屋外引き戸の縦枠に添いかつ逃げ凹部内に被掛止爪が位置する状態で、屋外引き戸のガラスの屋内側面に貼り付けることができる。
もっとも、プレート本体は、かかる屋内プレートと、この屋内プレートと同じ外周形状に形成された屋外プレートとから、二枚一組のものとして構成することもできる。
【０００９】
本発明において、屋外プレートを有するプレート本体を採用する場合には、その屋外プレートの表面に防犯設置表示を記載しておくことが好ましい。また、屋内プレートよりなるプレート本体を採用する場合には、その屋内プレートの接着面に防犯設置表示を記載しておくことが好ましい。
【００１０】
その理由は、本締まり錠を覆った状態で貼り付けてあるプレート本体に上記防犯設置表示を記載しておけば、泥棒等の部外者が引き戸における本締まり錠の対応部分に注目した途端に当該表示がその部外者の目に止まることになり、このため、同部外者が屋外引き戸のガラスの錠対応部分を割ることを諦める蓋然性がより増大するからである。
【００１１】
また、屋内プレートを有するプレート本体を採用する場合には、屋内引き戸の走行経路から外れるアンロック姿勢と屋内引き戸の走行経路内に突出するロック姿勢とに切り換え自在なロック部材を屋内プレートに設けておけば、当該防犯プレートを引き戸の補助ロック装置として兼用できるようになる。
更に、この補助ロック装置を兼用した防犯プレートにおいて、上記ロック部材を、屋内引き戸に対する走行方向におけるロック位置を切り換えることができる機能を有するものにしておけば、屋内引き戸を換気のための半開き状態でロックできるようになる。
【００１２】
【発明の実施の形態】
以下、図面に基づいて本発明の実施形態を説明する。
図１〜図４は、本発明の第一の実施形態の防犯プレート１を示しており、このうち、図１は、家屋の窓部やバルコニー等に設置されるアルミサッシよりなる引き戸装置に本実施形態の防犯プレート１を使用した場合を示している。
【００１３】
この場合の引き戸装置は、図外のサッシ枠に互いに引き違い状となるように走行自在に嵌め込まれた屋外引き戸２及び屋内引き戸３と、これらの両引き戸２，３を本締めするためのクレセント錠（本締まり錠）４と、を備えており、両引き戸２，３の枠内には板状の透明又は半透明のガラス５が嵌め込まれている。
上記クレセント錠４は、屋外引き戸２の縦枠６の枠内端面に固定された被掛止爪８と、屋内引き戸３の縦枠７の枠外端面に固定された錠本体９と、を備えている。
【００１４】
このうち、錠本体９は、上記縦枠７の枠外端面に固定された取付台１０と、この取付台１０に横軸回りに回転自在に枢着された円弧状のロックプレート１１と、このロックプレート１１に固定された操作レバー１２と、を備えており、操作レバー１２を上方へ回してロックプレート１１を前記被掛止爪８に引っ掛けることにより、屋内外方向に重なる縦枠６，７同士を互いに連結し、これによって両引き戸２，３を本施錠できるようになっている。
【００１５】
本実施形態の防犯プレート１は、両引き戸２，３を本締めする上記クレセント錠４を屋外側から見えなくなるように覆うことができかつ屋外引き戸２のガラス５に貼り付け可能な屋外プレート１３及び屋内プレート１４よりなるプレート本体１５と、このプレート本体１５の裏面に設けられた接着層１６とから構成されている。
【００１６】
図２に示すように、プレート本体１５を構成する各プレート１３，１４のうち、屋外プレート１３は、ステンレス等の金属平板を半円状に形成してなり、この半円金属板の裏面に接着層１６を塗布することによって構成されている。
この屋外プレート１３は、屋内引き戸３の枠外端面から突出するクレセント錠４の錠本体９の突出幅よりも大きい幅寸法を有しており、かつ、錠本体９の操作レバー１２を上方に向けても下方に向けてもこれを完全に隠すことのできる高さ寸法を有している。
【００１７】
また、屋外プレート１３の表面には、「Ｓｅｃｕｒｉｔｙ・ｐｌａｔｅ」の文字と手形のマークよりなる防犯設置表示１７が記載されている。この防犯設置表示１７は、当該引き戸装置に何らかの防犯対策が施されていることを観念させる表示であればよく、一般的な表示として、「防犯装置設置所」、「防犯ロック設置済み」、「防犯ベル設置所」、「警官立ち寄り所」等を採用することにしてもよい。
【００１８】
一方、図３に示すように、屋内プレート１４は、ステンレス等の金属平板を半円状に形成してなり、クレセント錠４の被掛止爪８との干渉を避けるための逃げ凹部１８を中央部に備えている。
この屋内プレート１４も、屋外プレート１３と同じ外周形状の半円状に形成されており、このため、屋内引き戸３の枠外端面から突出するクレセント錠４の錠本体９の突出幅よりも大きい幅寸法を有しており、かつ、錠本体９の操作レバー１２を上方に向けても下方に向けてもこれを完全に隠すことのできる高さ寸法を有している。
【００１９】
なお、図示省略しているが、この屋内プレート１４の裏面にも前記接着層１６が塗布されている。
次に、図１及び図４を参照しつつ、本実施形態の防犯プレート１の使用方法と作用を説明する。
【００２０】
すなわち、まず、当該防犯プレート１を引き戸装置に設置するには、図１に示すように、直線縁が屋外引き戸２の縦枠６に添いかつ逃げ凹部１８内に被掛止爪８が位置するように屋内プレート１４を位置決めし、その状態で屋外引き戸２のガラス５の屋内側面に屋内プレート１４を貼り付ける。
その後、上記屋内プレート１４と重なり合うように屋外プレート１３を位置決めし、その状態で屋外引き戸２のガラス５の屋外側面に屋外プレート１３を貼り付けることにより、防犯プレート１の設置が完了する。
【００２１】
図４はその防犯プレート１の設置後の引き戸装置を屋外側から見た正面図であり、同図に示すように、クレセント錠４は上記各プレート１３，１４によって屋外側から見えないように覆われている。
このように、本実施形態の防犯プレート１によれば、クレセント錠４を屋外側から見えないように覆う屋外プレート１３と屋内プレート１４を屋外引き戸２のガラス５に貼り付けるようにしているので、泥棒等の部外者がクレセント錠４を解錠するのに必要なガラス５を割る範囲が大幅に拡大し、このため、その部外者が屋外引き戸２のガラス５の錠対応部分を割るのを諦める蓋然性が高くなり、引き戸装置の防犯機能を向上させることができる。
【００２２】
また、本実施形態では、屋外プレート１３の表面に防犯設置表示１７が記載されているので、泥棒等の部外者がクレセント錠４の対応部分に注目した途端に当該表示１７がその部外者の目に止まることになり、同部外者が屋外引き戸２のガラス５の錠対応部分を割ることを諦める蓋然性がより高められるという効果もある。
【００２３】
更に、本実施形態では、屋外プレート１３と屋内プレート１４をガラス５の表裏に重なり合うように貼り付けているので、仮に部外者が屋外プレート１３を無理やり剥がしても、その裏の屋内プレート１４によってクレセント錠４が依然として隠されることになり、この点でも、部外者が屋外引き戸２のガラス５の錠対応部分を割ることを諦める蓋然性がより高められる。
【００２４】
図５は、本発明の第二の実施形態を示している。
本実施形態が第一実施形態と異なる点は、屋内プレート１４に屋内引き戸３の開き方向の走行を規制するロック部材２０を設けることにより、当該防犯プレート１を引き戸の補助ロック装置として兼用している点にある。
すなわち、本実施形態の屋内プレート１４は、縦長の長方形板状に形成され、屋内引き戸３の走行経路から外れるアンロック姿勢と屋内引き戸３の走行経路内に突出するロック姿勢とに切り換え自在なロック部材２０を上端部に備えている。
【００２５】
この屋内プレート１４の上部左右両側には支持ブラケット２１が屈曲形成され、この両支持ブラケット２１間に架設したシャフト２２に前記ロック部材２０の基端部が上下揺動自在に枢着されている。
また、本実施形態のロック部材２０は、長方形状に形成された閉鎖ロック用の第一ロック体２３と、同じく長方形状に形成された換気ロック用の第二ロック体２４とに左右に分割構成されていて、これにより、屋内引き戸３に対する走行方向におけるロック位置を切り換えられるようになっている。
【００２６】
屋内プレート１４の表面上部には、ロック部材２０を屋内側に押圧する板ばね２５が設けられており、ロック部材２０を上方へ回動すると、この板ばね２５がロック部材２０の上面に当接し、同ロック部材２０が屋内プレート１４に対して折り畳み状態となってアンロック姿勢に位置決めされる。
他方、アンロック姿勢にあるロック部材２０を下方へ回動すると、板ばね２５がロック部材２０の基端縁面に当接し、同ロック部材２０が片持ち状態に突出するロック姿勢に位置決めされる。
【００２７】
なお、ロック部材２０をロック姿勢とアンロック姿勢とに切り換え自在にする手段としては、片持ち状態よりも下方へ下がらないようにロック部材２０の回動範囲を規制しておき、ロック部材２０を磁力でアンロック姿勢に保持する手段を採用することもできる。
本実施形態の防犯プレート１によれば、ロック部材２０を構成する各ロック体２３，２４のうち、第一ロック体２３をロック姿勢にしておけば、クレセント錠４による本施錠に加えて、閉鎖状態にある引き戸２，３を補助的にロックすることができる。
【００２８】
また、第一ロック体２３をアンロック姿勢にしかつ第二ロック体２４をロック姿勢にしておくことにより（図５の状態）、屋内引き戸３を換気のために半開きにした状態でロックすることができる。
【００２９】
なお、本発明は上記の各実施形態に限定されるものではない。
例えば、プレート本体１５は、屋外プレート１３又は屋内プレート１４のいずれか一方だけで構成することもできる。
もっとも、プレート本体１５を屋外プレート１３だけで構成した場合には、これを剥がすだけでクレセント錠４を目視できるようになって防犯効果が低下するので、少なくとも屋内プレート１４を貼り付けておくことが好ましい。
【００３０】
また、プレート本体１５を屋内プレート１４だけで構成する場合には、その接着面に前記防犯設置表示１７を記載しておくことにより、ガラス５を通して当該表示１７を部外者に知らしめることが好ましい。
更に、屋外プレート１３及び屋内プレート１４は、クレセント錠４が外部から見えないように実質的に覆うことができる大きさのものであればその平面形状は任意であり、前記半円形状や長方形状以外のものを採用してもよい。
【００３１】
【発明の効果】
本発明によれば、部外者が屋外引き戸のガラスの錠対応部分を割ること自体を可及的に防止できるので、引き戸の防犯機能を大幅に向上することができる。
【図面の簡単な説明】
【図１】第一実施形態の防犯プレートとその設置構造を示す斜視図である。
【図２】（ａ）は屋外プレートの平面図であり、（ｂ）は（ａ）におけるＡ−Ａ線断面図である。
【図３】屋内プレートの平面図である。
【図４】防犯プレートを設置した後の引き戸装置を屋外側から見た正面図である。
【図５】第二実施形態の防犯プレートとその設置構造を示す斜視図である。
【符号の説明】
１    防犯プレート
２    屋外引き戸
３    屋内引き戸
４    クレセント錠（本締まり錠）
５    ガラス
１３    屋外プレート
１４    屋内プレート
１５    プレート本体
１６    接着層
１７    防犯設置表示
２０    ロック部材
【図１】
0003714034.tif 000002
【図２】
0003714034.tif 000003
【図３】
0003714034.tif 000004
【図４】
0003714034.tif 000005
【図５】
0003714034.tif 000006